(57)【要約】【課題】移動端末を用いてＩＰＴＶサービスを提供する方法が開示される。【解決手段】ＩＰＴＶサービス制御システムの移動端末は、ユーザが注視している位置の視点に関する情報を取得する視点認識部と、移動端末に表示される画面と前記視点に関する情報とを比較して前記視点に対応する位置座標を算出する視点処理部と、ＴＶと同一の画面を移動端末に表示し、セットトップボックスに前記位置座標を送信して前記セットトップボックスが前記ＴＶで前記位置座標と同一の位置に選択アイコンを表示するようにしたセットトップ制御クライアントとを含む。【選択図】図１
2011130421.tif 000002
【特許請求の範囲】
【請求項１】
ユーザが注視している位置である視点に関する情報を取得する視点認識部と、
移動端末に表示される画面と前記視点に関する情報とを比較して前記視点に対応する位置座標を算出する視点処理部と、
ＴＶと同一の画面を移動端末に表示し、セットトップボックスに前記位置座標を送信して前記セットトップボックスが前記ＴＶで前記位置座標と同一の位置に選択アイコンを表示するようにするセットトップ制御クライアントと、
を含むことを特徴とするセットトップボックス制御用移動端末。
【請求項２】
前記視点に関する情報は、前記ユーザの眼球イメージであることを特徴とする請求項１に記載のセットトップボックス制御用移動端末。
【請求項３】
前記視点処理部は、前記眼球イメージの中心に現れるイメージと前記移動端末に表示される画面のイメージとを比較し、前記視線による位置座標を算出することを特徴とする請求項２に記載のセットトップボックス制御用移動端末。
【請求項４】
前記セットトップ制御クライアントは、前記視点認識部が取得した眼球イメージを用いて前記ユーザのサービス認証を行うことを特徴とする請求項２に記載のセットトップボックス制御用移動端末。
【請求項５】
ユーザの吐息の回数と長さを測定する吐息認識部と、
前記吐息の回数と長さを予め格納された設定と比較してユーザが選択した制御命令を算出する吐息処理部と、をさらに含み、
前記セットトップ制御クライアントは、前記セットトップボックスに前記制御命令を送信して前記セットトップボックスが前記ＴＶで前記制御命令を実行するようにすることを特徴とする請求項１に記載のセットトップボックス制御用移動端末。
【請求項６】
ユーザのタッチの回数、長さ、および方向を測定するタッチ認識部と、
前記タッチの回数、長さ、および方向を予め格納された設定と比較してユーザが選択した制御命令を算出するタッチ処理部と、をさらに含み、
前記セットトップ制御クライアントは、前記セットトップボックスに前記制御命令を送信して前記セットトップボックスが前記ＴＶで前記制御命令を実行するようにすることを特徴とする請求項３に記載のセットトップボックス制御用移動端末。
【請求項７】
前記制御命令は、前記ＴＶの前記位置座標で実行されなければならない動作に関する情報であることを特徴とする請求項５または６に記載のセットトップボックス制御用移動端末。
【請求項８】
前記移動端末からユーザが視線で選択した位置情報を受信するセットトップ制御サーバ部と、
ＴＶ画面にＥＰＧを表示し、前記位置情報に応じて選択アイコンをＥＰＧ上にさらに表示するＥＰＧ制御部と、
前記ＥＰＧ制御部が前記ＴＶに表示した画面を前記移動端末のフォーマットに対応するＥＰＧイメージまたはデータに変換して前記移動端末に送信する画面共有処理部と、
を含むことを特徴とするセットトップボックス。
【請求項９】
前記移動端末は前記ＥＰＧイメージを表示し、前記ＥＰＧイメージの中に前記ユーザが注視している位置を前記位置情報として認識して前記セットトップボックスに送信することを特徴とする請求項８に記載のセットトップボックス。
【請求項１０】
前記セットトップ制御サーバ部は前記移動端末からユーザが吐息またはタッチで入力した制御命令を受信し、前記ＥＰＧ制御部は前記制御命令に応じて前記選択アイコンが位置したＥＰＧの項目を制御することを特徴とする請求項８に記載のセットトップボックス。
【請求項１１】
前記セットトップ制御サーバ部は、前記移動端末から前記ユーザの眼球イメージを受信すれば、前記眼球イメージを前記ユーザの情報が格納された事業者サーバに送信し、前記事業者サーバから前記ユーザのサービス認証を受けることを特徴とする請求項８に記載のセットトップボックス。
【請求項１２】
前記事業者サーバは、前記セットトップ制御サーバ部から受信した前記眼球イメージを前記ユーザの情報に含まれた眼球イメージと比較し、同一である場合にサービス認証を行うことを特徴とする請求項１１に記載のセットトップボックス。
【請求項１３】
前記事業者サーバは、前記サービス認証を行った場合、前記ユーザ情報に基づいて前記ユーザに最適化されたＥＰＧを構成して前記セットトップボックスに送信することを特徴とする請求項１２に記載のセットトップボックス。
【請求項１４】
ユーザの眼球イメージを取得するステップと、
前記眼球イメージと予め格納された前記ユーザ情報とを比較して認証するステップと、
前記ユーザ情報に基づいて前記ユーザに最適化されたＥＰＧを構成するステップと、
前記ユーザに最適化されたＥＰＧをセットトップボックスに送信してセットトップボックスがＴＶ画面に表示するようにするステップと、
を含むことを特徴とするユーザ認証方法。
【請求項１５】
前記ユーザの眼球イメージを取得するステップは、
移動端末が前記ユーザの眼球イメージを撮影するステップと、
移動端末が前記ユーザの眼球イメージをセットトップボックスに送信するステップと、
事業者サーバが前記セットトップボックスから前記眼球イメージを受信して取得するステップと、
を含むことを特徴とする請求項１４に記載のユーザ認証方法。
【請求項１６】
ＴＶと同一の画面を移動端末に表示するステップと、
ユーザの視点を測定するステップと、
前記視点と画面情報とを比較して前記視線による位置座標を算出するステップと、
セットトップボックスに前記位置座標を送信して前記セットトップボックスが前記ＴＶで前記位置座標と同一の位置に選択アイコンを表示するようにするステップと、
を含むことを特徴とするＩＰＴＶサービス制御方法。
【請求項１７】
前記視点を測定するステップは、前記ユーザの眼球イメージを取得して視点を測定することを特徴とする請求項１６に記載のＩＰＴＶサービス制御方法。
【請求項１８】
前記位置座標を算出するステップは、前記眼球イメージの中心に現れるイメージと前記画面のイメージとを比較して前記視線による位置座標を算出することを特徴とする請求項１７に記載のＩＰＴＶサービス制御方法。
【請求項１９】
ユーザの吐息の回数と長さを測定するステップと、
前記吐息の回数と長さを予め格納された設定と比較して制御命令を算出するステップと、
前記セットトップボックスに前記制御命令を送信し、前記セットトップボックスが前記ＴＶ画面に選択アイコンが表示された箇所で前記制御命令を実行するようにするステップと、
をさらに含むことを特徴とする請求項１６に記載のＩＰＴＶサービス制御方法。
【請求項２０】
ユーザのタッチの回数、長さ、および方向を測定するステップと、
前記タッチの回数、長さ、および方向を予め格納された設定と比較して制御命令を算出するステップと、
前記セットトップボックスに前記制御命令を送信し、前記セットトップボックスが前記ＴＶ画面に選択アイコンが表示された箇所で前記制御命令を実行するようにするステップと、
をさらに含むことを特徴とする請求項１６に記載のＩＰＴＶサービス制御方法。
【発明の詳細な説明】
【技術分野】
【０００１】
本発明は、移動端末を用いてＩＰＴＶサービスを提供する方法に関し、具体的に、視線、吐息、タッチを用いてＩＰＴＶサービスを制御することのできるサービス制御方法に関する。
【０００２】
本発明は、知識経済部および韓国電子通信研究院のＩＴ成長動力技術開発事業の一環として行った研究から導き出されたものである［課題管理番号：２００９−Ｓ−０１８−０１、課題名：ＩＰＴＶ融合サービスおよびコンテンツ共有のための開放型ＩＰＴＶプラットフォーム技術開発］。
【背景技術】
【０００３】
ＩＰＴＶ（Ｉｎｔｅｒｎｅｔ  Ｐｒｏｔｏｃｏｌ  Ｔｅｌｅｖｉｓｉｏｎ）サービスは、超高速インターネットを用いて情報サービス、動画コンテンツ、および放送をＴＶに提供するサービスである。
【０００４】
このようなＩＰＴＶは、ビデオを始めとする放送コンテンツを提供するという点で一般のケーブル放送または衛星放送に類似するが、両方向性が追加されるという差異がある。
【０００５】
すなわち、一般の公衆波放送やケーブル放送または衛星放送とは異なって、視聴者自身が都合のよい時間に本人が見たいプログラムのみを視聴することが可能である。
【０００６】
しかし、このような機能を実現するためにはコンテンツとサービスが増大になることから、ＴＶリモコンを用いてナビゲーションし難い実状である。
【０００７】
これを克服するために視点制御技術が用いられるが、ＩＰＴＶの特性上、ユーザが注視している視点が単にＴＶを視聴している視点であるか、あるいはＥＰＧ制御のための視点であるかの区分が難しいという問題があった。
【０００８】
前記区分のためにタイマーで視点が該当の座標に留まる時間が長い場合、制御のための視点であると判断する方法もあるが、１つの選択入力のために一定の時間を要することから、選択のために長い時間がかかるという短所があった。
【０００９】
また、従来のＩＰＴＶサービスは、定められた料金制に応じて個別に固定されたＳＴＢに設けられた権限のチャネルのみを視聴することができ、特定のＩＰＴＶサービス加入者が本人の家でない他の場所でＴＶ視聴を希望する場合には加入者の本人所有のＳＴＢまたは権限ＣＡＳ（Ｃｏｎｄｉｔｉｏｎａｌ  Ａｃｃｅｓｓ  Ｓｙｓｔｅｍ）カードを移動しなければならないという不都合があった。
【００１０】
したがって、視点を用いて簡便かつ素早くＩＰＴＶサービスを制御することができ、セットトップボックスがなくてもユーザ認証が可能であることから、ユーザが家でない他の場所においてもＩＰＴＶサービスを用いることができるシステムおよび方法が必要な実状である。
【発明の概要】
【発明が解決しようとする課題】
【００１１】
本発明の一実施形態は、移動端末を用いてユーザが凝視している位置である視点を測定するため、別途の視線検出用のカメラを使用しなくても視線を用いてＩＰＴＶを制御することのできるＩＰＴＶサービス制御システムを提供する。
【００１２】
また、本発明の一実施形態は、移動端末のマイクを用いてユーザの吐息を測定し、吐息の種類に応じてマウスの左クリック、右クリック、ダブルクリック、ドラッグアンドロップのような機能を実行することによって、一定の時間以上に視線を固定せずに直ちにユーザの所望する動作を実行することのできるＩＰＴＶサービス制御システムを提供する。
【００１３】
また、本発明の一実施形態は、タッチスクリーンが内蔵された移動端末を用いてＩＰＴＶを制御することによって、タッチスクリーンを通した詳細な制御が可能になるＩＰＴＶサービス制御システムを提供する。
【００１４】
また、本発明の一実施形態は、移動端末で撮影するユーザの眼球イメージを用いてユーザ認証を行うことによって、ユーザが通常使用しなかったセットトップボックスにおいても容易にユーザ認証を受け、サービスの提供を受けることのできるＩＰＴＶサービス制御システムを提供する。
【課題を解決するための手段】
【００１５】
本発明の一実施形態に係るＩＰＴＶサービス制御システムの移動端末は、ユーザが注視している位置である視点に関する情報を取得する視点認識部と、移動端末に表示される画面と前記視点に関する情報とを比較して前記視点に対応する位置座標を算出する視点処理部と、ＴＶと同一の画面を移動端末に表示し、セットトップボックスに前記位置座標を送信して前記セットトップボックスが前記ＴＶの前記位置座標と同一の位置に選択アイコンを表示するようにするセットトップ制御クライアントとを含む。
【００１６】
また、本発明の一実施形態に係るＩＰＴＶサービス制御システムの移動端末は、セットトップボックスは、前記移動端末からユーザが視線で選択した位置情報を受信するセットトップ制御サーバ部と、ＴＶ画面にＥＰＧを表示し、前記位置情報に応じて選択アイコンをＥＰＧ上にさらに表示するＥＰＧ制御部と、前記ＥＰＧ制御部が前記ＴＶに表示した画面を前記移動端末のフォーマットに対応するＥＰＧイメージまたはデータに変換して前記移動端末に送信する画面共有処理部とを含む。
【００１７】
また、本発明の一実施形態に係るＩＰＴＶサービス認証方法は、ユーザの眼球イメージを取得するステップと、前記眼球イメージと予め格納された前記ユーザ情報とを比較して認証するステップと、前記ユーザ情報に基づいて前記ユーザに最適化されたＥＰＧを構成するステップと、前記ユーザに最適化されたＥＰＧをセットトップボックスに送信してセットトップボックスがＴＶ画面に表示するようにするステップとを含む。
【００１８】
また、本発明の一実施形態に係るＩＰＴＶサービス制御方法は、ＴＶと同一の画面を移動端末に表示するステップと、ユーザの視点を測定するステップと、前記視点と画面情報とを比較して前記視線による位置座標を算出するステップと、セットトップボックスに前記位置座標を送信して前記セットトップボックスが前記ＴＶで前記位置座標と同一の位置に選択アイコンを表示するようにするステップとを含む。
【発明の効果】
【００１９】
本発明の一実施形態は、移動端末を用いてユーザが凝視している位置の視点を測定するため、別途の視線検出用のカメラを使用しなくても視線を用いてＩＰＴＶを制御することができる。
【００２０】
また、本発明の一実施形態は、移動端末のマイクを用いてユーザの吐息を測定し、吐息の種類に応じてマウスの左クリック、右クリック、ダブルクリック、ドラッグアンドロップのような機能を実行することによって、一定の時間以上に視線を固定しなくても直ちにユーザの所望する動作を実行することができる。
【００２１】
また、本発明の一実施形態は、タッチスクリーンが内蔵された移動端末を用いてＩＰＴＶを制御することによって、タッチスクリーンを通した詳細な制御が可能になる。
【００２２】
また、本発明の一実施形態は、移動端末で撮影するユーザの眼球イメージを用いてユーザ認証をすることによって、ユーザが通常使用しなかったセットトップボックスにおいても容易にユーザ認証を受け、サービスの提供を受けることができる。
【図面の簡単な説明】
【００２３】
【図１】本発明の一実施形態に係るＩＰＴＶサービス制御システムの一例を示す図である。
【図２】本発明の一実施形態に係るＩＰＴＶのサービス認証方法のフローチャートである。
【図３】本発明の一実施形態に係るＩＰＴＶサービス制御方法のフローチャートである。
【図４】本発明の他の実施形態に係るＩＰＴＶサービス制御方法のフローチャートである。
【図５】本発明の他の実施形態に係るＩＰＴＶサービス制御方法のフローチャートである。
【発明を実施するための形態】
【００２４】
以下、添付の図面および添付の図面に記載された内容を参照して本発明の実施形態を詳細に説明するが、本発明が実施形態によって制限されたり限定されることはない。
【００２５】
図１は、本発明の一実施形態に係るＩＰＴＶサービス制御システムの一例を示す図である。
【００２６】
本発明の一実施形態に係るＩＰＴＶサービス制御システムは、図１に示すように制御信号を送信する移動端末１１０、ＩＰＴＶサービスをＴＶ画面に表示するセットトップボックス１２０、およびＩＰＴＶサービスを提供する事業者サーバ１３０で構成される。
【００２７】
移動端末１１０は、ユーザの要請に応じてセットトップボックス１２０に制御信号を送信してＴＶ画面に表示されるＩＰＴＶサービスを制御する。このとき、移動端末１１０は、移動端末を凝視するユーザの顔を撮影することができるカメラを備える。
【００２８】
このとき、移動端末１１０は、図１に示すように視点認識部１１１、視点処理部１１２、吐息認識部１１３、吐息処理部１１４、タッチ認識部１１５、タッチ処理部１１６、およびセットトップ制御クライアント１１７で構成してもよい。
【００２９】
視点認識部１１１は、カメラを用いてユーザが注視している位置の視点に関する情報を取得する。具体的には、視点認識部１１１は、ユーザの顔を撮影して顔のイメージを取得し、この顔のイメージの中に眼球イメージを撮影して視点に関する情報として取得してもよい。このとき、視点認識部１１１は、移動端末１１０に設けられたカメラであってもよい。
【００３０】
視点処理部１１２は、移動端末１１０の画面情報と視点に関する情報とを比較して視点に対応する位置座標を算出する。
【００３１】
具体的に、視点処理部１１２は、眼球イメージの中心に現れるイメージと移動端末１１０に表示される画面のイメージとを比較し、視線による位置座標を算出してもよい。
【００３２】
吐息認識部１１３は、マイクを用いてユーザの吐息の回数と長さを測定する。
【００３３】
吐息処理部１１４は、吐息認識部１１３が測定した吐息の回数と長さを予め格納された設定と比較してユーザの所望する選択方法を算出する。このとき、選択方法は、ユーザが複数の動作中に選択した動作に関する情報であってもよい。
【００３４】
一例として、予め格納された設定が短い吐息はマウスの左クリック、長い吐息はマウスの右クリック、一回吹けばマウスワンクリック、連続して二回吹けばダブルクリックと設定された場合、吐息処理部１１４は、ユーザが吐息を吹いた回数または長さに応じてマウスの動作を選択方法に基づいて算出してもよい。
【００３５】
タッチ認識部１１５は、タッチスクリーンを用いてユーザのタッチの回数、長さ、および方向を測定する。このとき、タッチ認識部１１５は、移動端末１１０の画面情報を表示するディスプレイであってもよい。
【００３６】
タッチ処理部１１６は、タッチ認識部１１５が測定したタッチの回数、長さ、および方向を予め格納された設定と比較してユーザが選択した制御方法を算出する。
【００３７】
セットトップ制御クライアント１１７は、セットトップボックス１２０に接続されたＴＶと同一の画面を移動端末１１０のディスプレイに表示する。
【００３８】
また、セットトップ制御クライアント１１７は、セットトップボックス１２０に視点処理部１１２が算出した位置座標を送信し、セットトップボックス１２０がＴＶで位置座標と同一の位置に選択アイコンを表示するようにしてもよい。
【００３９】
また、セットトップ制御クライアント１１７は、セットトップボックス１２０に吐息処理部１１４およびタッチ処理部１１６が算出した制御方法を送信し、セットトップボックスがＴＶで制御方法を実行するようにしてもよい。このとき、制御方法はＴＶの位置座標で実行されなければならない動作に関する情報であってもよい。
【００４０】
また、セットトップ制御クライアント１１７は、視点認識部１１１が取得した眼球イメージを用いてユーザのサービス認証を行ってもよい。具体的にセットトップ制御クライアント１１７は、視点認識部１１１が取得した眼球イメージをセットトップボックス１２０によって事業者サーバ１３０に送信し、事業者サーバ１３０でユーザのサービス認証を受けてもよい。
【００４１】
セットトップボックス１２０は、移動端末１１０から受信した制御信号によってＴＶ画面に表示されるＩＰＴＶサービスを制御する。このとき、セットトップボックス１２０が制御するＩＰＴＶサービスは、ＩＰＴＶコンテンツとＥＰＧ（Ｅｌｅｃｔｒｏｎｉｃ  Ｐｒｏｇｒａｍ  Ｇｕｉｄｅ）を含んでもよい。
【００４２】
セットトップボックス１２０は、図１に示すようにセットトップ制御サーバ部１２１、ＥＰＧ制御部１２２、および画面共有処理部１２３で構成してもよい。
【００４３】
セットトップ制御サーバ部１２１は、移動端末１１０からユーザが視線で選択した位置情報を受信してＥＰＧ制御部１２２に送信してもよい。
【００４４】
また、セットトップ制御サーバ部１２１は、移動端末１１０からユーザが吐息またはタッチで入力した制御方法を受信してＥＰＧ制御部１２２に送信してもよい。
【００４５】
また、セットトップ制御サーバ部１２１は、移動端末１１０から眼球イメージを受信すれば、眼球イメージを事業者サーバ１３０に送信して事業者サーバ１３０でユーザのサービス認証を受けてもよい。
【００４６】
ＥＰＧ制御部１２２は、ＴＶ画面にＥＰＧを表示し、セットトップ制御サーバ部１２１から受信した位置情報に応じて選択アイコンをＥＰＧ上にさらに表示する。
【００４７】
このとき、ＥＰＧ制御部１２２は、セットトップ制御サーバ部１２１から受信した制御方法によって選択アイコンが位置したＥＰＧの項目を制御してもよい。
【００４８】
一例として、ユーザが移動端末１１０に表示されるＥＰＧを見てＥＰＧの特定の項目を凝視して吐息を一回吹けば、視点処理部１１２は、視点認識部１１１が取得したユーザの眼球イメージを用いてユーザが凝視した項目を算出し、吐息算出部１１４は予め格納された設定に応じてマウスワンクリックの制御方法を算出してもよい。
【００４９】
このとき、セットトップ制御クライアント１１７がユーザが凝視した項目の位置情報とマウスワンクリックの制御方法をセットトップボックス１２０に送信すれば、セットトップ制御サーバ部１２１が受信してＥＰＧ制御部１２２に送信してもよい。
【００５０】
次に、ＥＰＧ制御部１２２は、受信した位置情報によってユーザが凝視した項目上に選択アイコンを表示し、マウスワンクリックの制御方法に応じてユーザが凝視した項目を選択し、ユーザが凝視した項目にマウスワンクリックによって選択されたことを表示する。
【００５１】
画面共有処理部１２３は、ＥＰＧ制御部１２２がＴＶに表示した画面を移動端末１１０のフォーマットに対応するＥＰＧイメージまたはデータに変換して移動端末１１０に送信する。このとき、セットトップ制御クライアント１１７は、画面共有処理部１２３から受信したＥＰＧイメージまたはデータを用いてセットトップボックス１２０と接続されたＴＶと同一の画面を移動端末１１０に表示してもよい。
【００５２】
事業者サーバ１３０はＩＰＴＶコンテンツとＥＰＧを格納し、格納されたＩＰＴＶコンテンツとＥＰＧをセットトップボックス１２０に提供する。
【００５３】
このとき、事業者サーバ１３０は、セットトップ制御サーバ部１２１から受信した眼球イメージを用いてユーザを認証し、ユーザが認証された場合のみＩＰＴＶコンテンツとＥＰＧをセットトップボックス１２０に提供してもよい。
【００５４】
具体的に、事業者サーバ１３０のＩＰＴＶ認証サーバ１３１は、眼球イメージと予め格納されたユーザの情報に含まれた眼球イメージとを比較し、同一である場合はサービス認証を行ってもよい。
【００５５】
また、事業者サーバのＥＰＧ制御サーバ１３２は、ＩＰＴＶ認証サーバ１３１でサービス認証を行った場合、予め格納されたユーザ情報に基づいてユーザに最適化されたＥＰＧを構成してセットトップボックス１２０に送信してもよい。
【００５６】
図２は、本発明の一実施形態に係るＩＰＴＶのサービス認証方法のフローチャートである。
【００５７】
図２は、ユーザが移動端末１１０を凝視することによって、ＩＰＴＶのサービス認証を要請する方法のフローチャートである。
【００５８】
ステップＳ２１０において、移動端末１５０はユーザの眼球イメージを取得する。
【００５９】
具体的に、ユーザが移動端末１１０を凝視しながらサービス認証を要請した場合、ユーザの要請が入力されたセットトップ制御クライアント１１７が視点認識部１１１に認証イメージを要請すれば、視点認識部１１１が移動端末１１０を凝視しているユーザの顔を撮影し、ユーザの顔イメージの中で眼球イメージを取得してセットトップ制御クライアント１１７に送信してもよい。
【００６０】
ステップＳ２２０において、移動端末１５０がステップＳ２１０で取得した眼球イメージをユーザのＩＤと共にセットトップ制御サーバ部１２１に送信すれば、セットトップ制御サーバ部１２１は、セットトップボックス１２０のＩＤを受信した眼球イメージおよびユーザのＩＤと共に事業者サーバ１３０に送信する。
【００６１】
ステップＳ２３０において、事業者サーバ１３０のＩＰＴＶ認証サーバ１３１は、ステップＳ２２０で受信した眼球イメージとユーザのＩＤを用いてユーザを認証する。
【００６２】
具体的にＩＰＴＶ認証サーバ１３１は、ユーザのＩＤを用いてユーザがＩＰＴＶサービス加入時に作成したユーザの情報を確認し、ステップＳ２２０で受信した眼球イメージをユーザの情報に含まれた眼球イメージと比較し、ステップＳ２２０で受信した眼球イメージとユーザの情報に含まれた眼球イメージとが同一である場合にはサービス認証を行ってもよい。
【００６３】
ステップＳ２４０において、ＩＰＴＶ認証サーバ１３１は、ＥＰＧ制御サーバ１３２にステップＳ２３０で認証されたユーザの個別ＥＰＧを要請する。
【００６４】
ステップＳ２４５において、ＥＰＧ制御サーバ１３２は、ステップＳ２３０で認証されたユーザのユーザ情報に基づいてユーザに最適化されたＥＰＧを構成する。
【００６５】
ステップＳ２５０において、ＥＰＧ制御サーバ１３２は、ステップＳ２４５で構成されたユーザに最適化されたＥＰＧをＩＰＴＶ認証サーバ１３１に送信する。このとき、ＩＰＴＶ認証サーバ１３１は、受信したユーザに最適化されたＥＰＧをステップＳ２３０のユーザ認証結果と共にセットトップボックス１２０のセットトップ制御サーバ部１２１に送信してもよい。また、セットトップ制御サーバ部１２１は、受信したユーザに最適化されたＥＰＧとユーザ認証結果を移動端末１１０に送信してもよい。
【００６６】
ステップＳ２６０において、セットトップ制御サーバ部１２１は、ＥＰＧ制御部１２２にステップＳ２５０で受信したユーザに最適化されたＥＰＧを送信してＥＰＧの表示を要請する。
【００６７】
ステップＳ２６５において、ＥＰＧ制御部１２２は、ステップＳ２６０で受信したユーザに最適化されたＥＰＧをＴＶの画面に表示する。
【００６８】
ステップＳ２７０において、ＥＰＧ制御部１２２は、画面共有処理部１２３にステップＳ２６５でＴＶ画面に表示したＥＰＧを送信する。
【００６９】
ステップＳ２７５において、ＥＰＧ制御部１２２は、ステップＳ２７０でＴＶ画面に表示したＥＰＧを移動端末１１０のフォーマットに対応するＥＰＧイメージまたはデータに変換する。
【００７０】
ステップＳ２８０において、ＥＰＧ制御部１２２は、ステップＳ２７５で変換したＥＰＧイメージまたはデータを移動端末１１０に送信する。
【００７１】
ステップＳ２８５において、移動端末１１０は、画面共有処理部１２３から受信したＥＰＧイメージまたはデータを用いてセットトップボックス１２０と接続されたＴＶと同一の画面を表示してもよい。
【００７２】
図３は、本発明の一実施形態に係るＩＰＴＶサービス制御方法のフローチャートである。
【００７３】
図３は、ユーザの視線を用いてユーザが選択するＥＰＧの項目を表示するＩＰＴＶサービス制御方法のフローチャートである。
【００７４】
本発明の一実施形態によれば、セットトップボックス１２０に別途の視線確認装備を追加することなくカメラが内蔵された移動端末を用いて、ユーザが凝視する画面の位置を算出し、ユーザの所望する項目を選択してもよい。
【００７５】
ステップＳ３１０において、セットトップ制御クライアント１１７が視点処理部１１２に位置座標を要請すれば、視点処理部１１２は視点認識部１１１に眼球イメージを要請する。
【００７６】
ステップＳ３２０において、視点認識部１１１は、ステップＳ３１０の要請に応じて移動端末１１０を凝視しているユーザの顔を撮影し、ユーザの顔イメージの中から眼球イメージを取得する。
【００７７】
ステップＳ３３０において、視点認識部１１１はステップＳ３２０で取得した眼球イメージを視点処理部１１２に送信する。
【００７８】
ステップＳ３４０において、視点処理部１１２は、ステップＳ３３０で受信した眼球イメージを移動端末に表示される画面と比較してユーザが注視している視点の座標を算出する。
【００７９】
具体的に、視点処理部１１２は、ステップＳ３３０で受信した眼球イメージの中心に現れるイメージと移動端末に表示される画面のイメージとを比較して視点の座標を算出してもよい。
【００８０】
ステップＳ３５０において、視点処理部１１２はステップＳ３４０で算出した位置座標をセットトップ制御クライアント１１７に送信する。
【００８１】
ステップＳ３６０において、セットトップ制御クライアント１１７はセットトップ制御サーバ部１２１にＥＰＧ情報表示要請信号を送信する。このとき、セットトップ制御サーバ部１２１は受信したＥＰＧ情報表示要請信号をＥＰＧ制御部１２２に送信してもよい。
【００８２】
このとき、ＥＰＧ情報表示要請信号にはステップＳ３５０で受信した位置座標が含まれてもよい。
【００８３】
ステップＳ３６５において、ＥＰＧ制御部１２２は、ステップＳ３６０で受信したＥＰＧ情報表示要請信号によってＥＰＧを表示し、位置座標と同一の位置に選択アイコンを表示する。
【００８４】
ステップＳ３７０において、ＥＰＧ制御部１２２は、画面共有処理部１２３にステップＳ３６５でＴＶ画面に表示したＥＰＧ情報を送信する。このとき、ＴＶ画面に表示したＥＰＧ情報は、位置座標と同一の位置に選択アイコンが表示されたＥＰＧ情報であってもよい。
【００８５】
ステップＳ３７５において、ＥＰＧ制御部１２２は、ステップＳ３６５でＴＶ画面に表示したＥＰＧ情報を移動端末１１０のフォーマットに対応するＥＰＧイメージまたはデータに変換する。
【００８６】
ステップＳ３８０において、ＥＰＧ制御部１２２は、ステップＳ３７５で変換したＥＰＧイメージまたはデータを移動端末１１０に送信する。
【００８７】
ステップＳ３８５において、移動端末１１０は、画面共有処理部１２３から受信したＥＰＧイメージまたはデータを用いてセットトップボックス１２０と接続されたＴＶと同一の画面を表示してもよい。
【００８８】
図４は、本発明の他の実施形態に係るＩＰＴＶサービス制御方法のフローチャートである。
【００８９】
図４は、ユーザの吐息を用いてユーザが選択したＥＰＧの項目の実行方法を入力するＩＰＴＶサービス制御方法のフローチャートである。
【００９０】
本発明の他の実施形態によれば、ユーザの所望する場所を視線で選択した後に吐息で選択した動作を入力することによって、一定の時間以上に視線を固定しなくても直ちにユーザの所望する動作を実行することができる。
【００９１】
ステップＳ４１０において、セットトップ制御クライアント１１７が吐息処理部１１４に選択方法を要請すれば、吐息処理部１１４は吐息認識部１１３に吐息情報を要請する。
【００９２】
ステップＳ４２０において、吐息認識部１１３はマイクを用いてユーザの吐息の回数と長さを測定する。
【００９３】
ステップＳ４３０において、吐息認識部１１３はステップＳ４２０で取得した吐息情報を吐息処理部１１４に送信する。
【００９４】
ステップＳ４４０において、吐息処理部１１４は、ステップＳ４３０で受信した吐息情報を予め格納された設定と比較してユーザの所望する選択方法を算出する。
【００９５】
一例として、予め格納された設定が短い吐息は、マウスの左クリック、長い吐息はマウスの右クリック、一回吹けばマウスワンクリック、連続して二回吹けばダブルクリックと設けられた場合、吐息処理部１１４は、ユーザが吐息を吹いた回数または長さに応じてマウスの動作を選択方法によって算出してもよい。
【００９６】
ステップＳ４５０において、吐息処理部１１４は、ステップＳ４４０で算出した選択方法をセットトップ制御クライアント１１７に送信する。
【００９７】
ステップＳ４６０において、セットトップ制御クライアント１１７は、セットトップ制御サーバ部１２１にＥＰＧ情報表示要請信号を送信する。このとき、セットトップ制御サーバ部１２１は受信したＥＰＧ情報表示要請信号をＥＰＧ制御部１２２に送信してもよい。
【００９８】
このとき、ＥＰＧ情報表示要請信号にはステップＳ４５０で受信した選択方法が含まれてもよい。
【００９９】
ステップＳ４６５において、ＥＰＧ制御部１２２は、ステップＳ４６０で受信したＥＰＧ情報表示要請信号によってＥＰＧを表示し、選択方法によってＥＰＧの項目の中に１つを実行する。
【０１００】
ステップＳ４７０において、ＥＰＧ制御部１２２は、画面共有処理部１２３にステップＳ４６５でＴＶ画面に表示したＥＰＧ情報を送信する。このとき、ＴＶ画面に表示したＥＰＧ情報は選択方法によってＥＰＧの項目の中に１つが実行された画面であってもよい。
【０１０１】
ステップＳ４７５において、ＥＰＧ制御部１２２は、ステップＳ４６５でＴＶ画面に表示したＥＰＧ情報を移動端末１１０のフォーマットに対応するＥＰＧイメージまたはデータに変換する。
【０１０２】
ステップＳ４８０において、ＥＰＧ制御部１２２は、ステップＳ４７５で変換したＥＰＧイメージまたはデータを移動端末１１０に送信する。
【０１０３】
ステップＳ４８５において、移動端末１１０は、画面共有処理部１２３から受信したＥＰＧイメージまたはデータを用いて、セットトップボックス１２０に接続されたＴＶと同一の画面を表示してもよい。
【０１０４】
図５は、本発明の他の実施形態に係るＩＰＴＶサービス制御方法のフローチャートである。
【０１０５】
図５は、タッチスクリーンを用いてユーザの所望するＥＰＧの項目を選択して実行するＩＰＴＶサービス制御方法のフローチャートである。
【０１０６】
本発明の他の実施形態によれば、タッチスクリーンのある移動端末を用いてユーザの所望する項目を簡便に選択し、項目の実行方法を詳細に制御することができる。
【０１０７】
ステップＳ５１０において、画面タッチ認識部１１５は、画面タッチ認識部１１５をユーザがタッチした位置、回数、長さ、および方向を測定してタッチ情報を取得する。このとき、画面タッチ認識部１１５はタッチスクリーンであり、ステップＳ２８５によりＥＰＧ画面を表示してもよい。
【０１０８】
ステップＳ５２０において、タッチ認識部１１５は、ステップＳ５２０で取得したタッチ情報をタッチ処理部１１６に送信する。
【０１０９】
ステップＳ５３０において、タッチ処理部１１６は、ステップＳ５２０で受信したタッチ情報を予め格納された設定と比較してユーザの所望する制御方法を算出する。
【０１１０】
一例として、予め格納された設定が右側方向に移動すれば右側の矢印、左側方向に移動すれば左側の矢印を押した効果であり、２つの指で縮めてから伸ばした場合にはズームインをするように設定されたとき、タッチ処理部１１６は、ユーザがタッチを一方向または移動経路によって、タッチで選択した位置の制御命令を制御方法に基づいて算出してもよい。
【０１１１】
ステップＳ５４０において、タッチ処理部１１６は、ステップＳ５４０で算出した位置座標をセットトップ制御クライアント１１７に送信する。
【０１１２】
ステップＳ５５０において、セットトップ制御クライアント１１７は、セットトップ制御サーバ部１２１にＥＰＧ情報表示要請信号を送信する。このとき、セットトップ制御サーバ部１２１は受信したＥＰＧ情報表示要請信号をＥＰＧ制御部１２２に送信してもよい。
【０１１３】
このとき、ＥＰＧ情報表示要請信号にはステップＳ５４０で受信した制御方法が含まれてもよい。
【０１１４】
ステップＳ５５５において、ＥＰＧ制御部１２２は、ステップＳ５５０で受信したＥＰＧ情報表示要請信号に応じてＥＰＧを表示し、制御方法によってＥＰＧの状態を変更する。一例として、制御方法がズームインである場合にタッチが始まった箇所をズームインしてもよい。
【０１１５】
ステップＳ５６０において、ＥＰＧ制御部１２２は、画面共有処理部１２３にステップＳ５５５でＴＶ画面に表示したＥＰＧ情報を送信する。このとき、ＴＶ画面に表示したＥＰＧ情報は制御方法に応じてＥＰＧが変更された画面であってもよい。
【０１１６】
ステップＳ５７０において、ＥＰＧ制御部１２２は、ステップＳ５５５でＴＶ画面に表示したＥＰＧ情報を移動端末１１０のフォーマットに対応するＥＰＧイメージまたはデータに変換する。
【０１１７】
ステップＳ５８０において、ＥＰＧ制御部１２２は、ステップＳ５７０で変換したＥＰＧイメージまたはデータを移動端末１１０に送信する。
【０１１８】
ステップＳ５８５において、移動端末１１０は、画面共有処理部１２３から受信したＥＰＧイメージまたはデータを用いて、セットトップボックス１２０と接続されたＴＶと同一の画面を表示してもよい。
【０１１９】
本発明に係るＩＰＴＶサービス制御システムは、移動端末を用いてユーザが凝視している位置である視点を測定するため、別途の視線検出用のカメラなくても視線を用いてＩＰＴＶを制御することができる。
【０１２０】
また、移動端末のマイクを用いてユーザの吐息を測定し、吐息の種類に応じてマウスの左クリック、右クリック、ダブルクリック、ドラッグアンドロップのような機能を実行することによって、一定の時間以上に視線を固定しなくても直ちにユーザの所望する動作を実行することができる。
【０１２１】
また、タッチスクリーンが内蔵された移動端末を用いてＩＰＴＶを制御することによって、タッチスクリーンを通した詳細な制御が可能である。
【０１２２】
また、移動端末で撮影するユーザの眼球イメージを用いてユーザ認証を行うことによって、通常ユーザが使用しなかったセットトップボックスにおいてもユーザ認証を容易に受けてサービスの提供を受けることができる。
【０１２３】
上述したように、本発明は、たとえ限定された実施形態と図面によって説明したが、本発明は、上記の実施形態に限定されることなく、本発明が属する分野における通常の知識を有する者であれば、このような基材から多様な修正および変形が可能である。
【０１２４】
したがって、本発明の範囲は説明された実施形態に限定されて決められてはならず、後述する特許請求の範囲だけでなく、この特許請求の範囲と均等なものなどによって定められなければならない。
【図１】
2011130421.tif 000003
【図２】
2011130421.tif 000004
【図３】
2011130421.tif 000005
【図４】
2011130421.tif 000006
【図５】
2011130421.tif 000007